【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  マルチキャリア変調を使用した伝送システムにおいて通信信号のパラメータを適応的に変更する方法であって、
レシーバからトランスミッタへと変更要求を伝送する工程であって、前記変更要求は、変更される特定のサブキャリアを識別し、前記識別されたサブキャリアに関連付けられたパラメータの所望値を識別するように構成され、パラメータの前記所望値は、前記パラメータのカレント値と異なる、工程と、
前記受信された通信信号をモニタし、前記要求された変更が実現されたかを決定する工程であって、前記要求された変更が実現されたか否かの決定は、前記受信された通信信号のうち変更することを意図された一部分の分析に、少なくとも部分的に基づく、工程と
を備える方法。
【請求項２】  請求項１記載の方法であって、
前記変更要求は、変更される複数の特定のサブキャリアを識別し、識別された各サブキャリアに対してそのサブキャリアに関連付けられたパラメータの所望値を識別するように構成される、方法。
【請求項３】  請求項１または請求項２記載の方法であって、
前記通信信号は、前記変更要求が受信または実現されたという明確な応答を何ら含まない、方法。
【請求項４】  請求項１ないし請求項３のうちの任意の１つに記載の方法であって、
前記モニタリングの工程は、前記パラメータの前記カレント値と前記パラメータの前記所望値とを使用して前記受信された通信信号をデコードし、前記要求された変更が少なくとも部分的に前記デコーディングに基づいて実現されたか否かを決定することを含む、方法。
【請求項５】  請求項４記載の方法であって、さらに、
前記カレント値のデコードに基づく第１の前進型誤り訂正シンドロームと、前記所望値のデコードに基づく第２の前進型誤り訂正シンドロームとを生成する工程であって、前記変更要求が実現されたか否かの決定は、前記シンドロームの分析に基づいて下される工程を、備える方法。
【請求項６】  請求項１ないし請求項５のうちの任意の１つに記載の方法であって、
前記モニタリングの工程は、前記変更要求によって変更されることを意図された前記特定のサブキャリアをモニタし、前記要求された変更が実現されたか否かを決定することを含む、方法。
【請求項７】  請求項１ないし請求項６のうちの任意の１つに記載の方法であって、
前記要求された変更が実現されたか否かの決定は、前記パラメータの前記カレント値および前記所望値を使用して前記通信信号をデコードすることに基づいて検出されたエラーの分析に、少なくとも部分的に基づいて下される、方法。
【請求項８】  請求項１ないし請求項７のうちの任意の１つに記載の方法であって、
前記モニタリングの工程は、第１の時点における前記サブキャリアの第１の布置を、第２の時点における前記サブキャリアの第２の布置によって分析することを含み、
前記変更の要求は、前記第２の布置が前記第１の布置と異なる場合に実現されたことが知られる、方法。
【請求項９】  請求項１ないし請求項８のうちの任意の１つに記載の方法であって、
前記モニタリングの工程は、前記通信信号のサブキャリアの１つをモニタし、該サブキャリアが前記変更要求の実現に基づいて０に等しくなるように変更されたことを含み、
前記サブキャリア上における伝送エネルギの欠如は、前記要求された変更が前記トランスミッタによって実現されたことを示す、方法。
【請求項１０】  適応マルチキャリア伝送信号を使用し、１対のモデム間における双方向の通信を促進するマルチキャリア通信システムにおいて、前記マルチキャリア伝送信号内の特定のサブキャリアに関連付けられたパラメータ値における所望の変更を通信するように構成された変更要求コマンドであって、
前記コマンドを変更要求コマンドとして識別するように構成されたヘッダと、
前記変更要求コマンドによって変更されるトーンの数を示すように構成された制御フィールドと、
前記変更要求コマンドによって変更される特定のサブキャリアを識別するようにそれぞれが構成された、少なくとも１つのサブキャリア識別子と、
関連のサブキャリア識別子によって識別されたサブキャリアに関連付けられたパラメータの所望値を識別するようにそれぞれが構成された、少なくとも１つの所望パラメータ値インジケータと、
エラーフィールドと
を備える、変更要求コマンド。
【請求項１１】  請求項１０記載のコマンドであって、
前記所望パラメータ値インジケータは、前記関連のサブキャリア識別子によって識別された前記サブキャリアによって伝送される情報のビット数を識別する、コマンド。
【請求項１２】  請求項１１記載のコマンドであって、
前記インジケータの前記所望値は、ある特定のサブキャリアに関して変更されるビットの総数である、コマンド。
【請求項１３】  請求項１０記載のコマンドであって、
前記所望パラメータ値インジケータは、前記関連のサブキャリア識別子によって識別された前記サブキャリアによって使用されるゲインを識別する、コマンド。
【請求項１４】  請求項１３記載のコマンドであって、
前記インジケータの前記所望値は、約−４．０ｄＢ〜約＋３．５ｄＢの範囲で約０．５ｄＢづつ増分する、コマンド。
【請求項１５】  請求項１０ないし請求項１４のうちの任意の１つに記載のコマンドであって、
前記エラーフィールドは巡回冗長検査コードを含む、コマンド。
【請求項１６】  請求項１０ないし請求項１５のうちの任意の１つに記載のコマンドであって、
前記ヘッダは、前記変更要求がいつ行われるかを示すスーパーフレームの番号を含む、コマンド。
【請求項１７】  請求項１０ないし請求項１５のうちの任意の１つに記載のコマンドであって、
前記制御フィールドは、前記変更要求がいつ行われるかを示すスーパーフレームの番号を含む、コマンド。
【請求項１８】  マルチキャリア変調を使用した伝送システムにおいて通信信号のパラメータを適応的に変更する方法であって、
レシーバからの変更要求をトランスミッタにおいて受信する工程であって、前記変更要求は、変更される１組の特定のサブキャリアを識別し、前記識別されたサブキャリアの各々に関連付けられた少なくとも１つのパラメータに対して、対応する１組の所望値を識別するように構成され、前記所望値は、前記パラメータのカレント値と異なり、変更のための前記要求は、前記変更要求によって変更されるサブキャリアの数を示すように構成されたサブキャリアカウントを含む、工程と、
前記変更の要求を実現することによって、前記識別されたサブキャリアに関連付けられた前記パラメータの前記所望値を再トレーニングするように前記識別されたサブキャリアを変更する工程と、
前記実現された変更要求を含み、明確な応答コマンドを含まない、マルチキャリア信号を伝送する工程と
を備える、方法。
【請求項１９】  請求項１８記載の方法であって、
前記変更の要求は、前記変更の要求を識別するように構成されたヘッダを含む、方法。
【請求項２０】  請求項１８または請求項１９記載の方法であって、
前記変更の要求は、前記変更要求によって変更される特定のサブキャリアを識別するようにそれぞれが構成された、少なくとも１つのサブキャリア識別子を含む、方法。
【請求項２１】  請求項１８ないし請求項２０のうちの任意の１つに記載の方法であって、
前記変更の要求は、関連のサブキャリア識別子によって識別されたサブキャリアに関連付けられたパラメータの所望値を識別するようにそれぞれが構成された、少なくとも１つのインジケータを含む、方法。
【請求項２２】  請求項１８ないし請求項２１のうちの任意の１つに記載の方法であって、
前記変更の要求はエラーフィールドを含む、方法。
【請求項２３】  請求項１８ないし請求項２２のうちの任意の１つに記載の方法であって、
前記変更の要求は、前記変更要求がいつ行われるかを示すスーパーフレームの番号を含む、方法。
【請求項２４】  不連続マルチトーン伝送システムにおいて高速ビットスワッピングを行う方法であって、
レシーバから変更要求を伝送する工程であって、前記変更要求は、変更される特定のトーンを識別し、前記識別されたトーンに関連付けられたパラメータの所望値を識別するように構成され、前記所望値は、前記パラメータのカレント値と異なる、工程と、
トランスミッタにおいて前記変更要求を受信する工程であって、前記変更要求は、変更されるべき特定のトーンを識別し、前記識別されたトーンに関連付けられたパラメータの所望値を識別するように構成され、前記所望値は、前記パラメータのカレント値と異なる、工程と、
前記変更の要求を前記トランスミッタにおいて実現することによって、前記識別されたトーンに関連付けられた前記パラメータの前記所望値を再トレーニングするように前記識別されたトーンを変更する工程と、
前記実現された変更要求を含むマルチトーン信号を前記トランスミッタから伝送する工程と、
前記マルチトーン信号を前記レシーバにおいて受信する工程と、
前記受信されたマルチトーン信号を、少なくとも前記パラメータの前記所望値に基づいてインタープリットし、前記要求された変更が実現されたか否かを決定する工程と
を備える、方法。
【請求項２５】  請求項２４記載の方法であって、
前記変更要求は、実質的なトーン数に影響するように構成されている、方法。
【請求項２６】  請求項２４または請求項２５記載の方法であって、
前記マルチトーン信号は明確な応答コマンドを含まない、方法。
【請求項２７】  トランスミッタと通信状態におる不連続マルチトーンモデムであって、
前記トランスミッタに変更要求を伝送するように構成されたレシーバであって、前記変更要求は、変更される特定のトーンを識別し、前記識別されたトーンに関連付けられたパラメータの所望値を識別するように構成され、前記レシーバは、前記トランスミッタからマルチトーン信号を受信し、前記変更の要求が前記トランスミッタによって実現されたか否かを決定するように構成され、前記変更の要求が実現されたか否かの決定は、変更されることを意図された前記マルチトーン信号の一部分の分析に少なくとも部分的に基づいて下される、不連続マルチトーンモデム。
【請求項２８】  請求項２７記載のモデムであって、
前記変更の要求が実現されたか否かの決定は、前記変更の要求が実現されたという前記トランスミッタからの明確な応答を含まない、モデム。
【請求項２９】  請求項２７または請求項２８記載のモデムであって、
前記パラメータの前記所望値は前記パラメータのカレント値と異なる、モデム。
【請求項３０】  請求項２７ないし請求項２９のうちの任意の１つに記載のモデムであって、
前記レシーバは、受信された複数の第１のトーンと、受信された複数の第２のトーンとを分析するように構成され、前記第１のトーンは、前記第１のトーンに関連付けられたパラメータを含み、前記第２のトーンは、前記変更の要求に基づいて変更されたパラメータを含み、前記変更の要求は、前記トランスミッタにおいて実現され、前記レシーバは、前記第１のトーンの前記パラメータを前記第２のトーンの前記変更されたパラメータと比較することによって、前記第１のトーンが前記第２のトーンと異なるか否かを決定するように構成され、
前記第１および第２のトーンの前記パラメータが実質的に同じである場合は、前記変更は実現されず、前記第１および第２のトーンの前記パラメータが実質的に同じでない場合は、前記変更は実現された、モデム。 
【請求項３１】  請求項２７ないし請求項２９のうちの任意の１つに記載のモデムであって、
前記レシーバは、第１のデコーダと第２のデコーダとを備え、前記第１のデコーダは、第１のトーンセットに関連付けられた複数の第１のパラメータ値を含み、前記第２のデコーダは、第２のトーンセットに関連付けられた複数の第２のパラメータ値を含み、前記第１のデコーダは第１のシンドロームジェネレータを備え、前記第２のデコーダは第２のシンドロームジェネレータを備え、これらのシンドロームジェネレータは、前記第１のシンドロームジェネレータに関連付けられた第１のシンドロームと、前記第２のシンドロームジェネレータに関連付けられた第２のシンドロームとを計算するように構成され、前記第１のシンドロームは、受信された複数のトーンのパラメータの値を、前記第１のトーンセットに関連付けられた前記第１のパラメータ値と比較するように構成され、前記第２のシンドロームは、受信された複数のトーンのパラメータの値を、前記第２のトーンセットに関連付けられた前記第２のパラメータ値と比較するように構成される、モデム。
【請求項３２】  請求項２７ないし請求項３１のうちの任意の１つに記載のモデムであって、
前記レシーバは、前記通信信号のトーンの１つをモニタし、第１の時点における前記トーンの第１の布置を、第２の時点における前記トーンの第２の布置によって分析するように構成される、モデム。
【請求項３３】  請求項２７ないし請求項３２のうちの任意の１つに記載の方法であって、
前記レシーバは、前記通信信号のサブキャリアの１つをモニタし、該サブキャリアが前記変更要求の実現に基づいて０に等しくなるように変更されたモニタを含む、方法。
【請求項３４】  マルチキャリア信号を受信するように構成されたレシーバであって、
様々なサブキャリアを有した受信されたマルチキャリア信号を復調するように構成された復調器と、
前記復調されたマルチキャリア信号を受信するように構成された１対の重複デコーダであって、前記様々なサブキャリアの少なくとも１つに関し、異なるパラメータを使用して前記復調されたマルチキャリア信号をデコードするように構成された重複デコーダと
を備える、レシーバ。
【請求項３５】  請求項３４記載のレシーバであって、
前記重複デコーダは同じサブキャリアをデコードするように構成される、レシーバ。
【請求項３６】  モデムであって、
第１のルールセットと第２のルールセットとを有したレシーバであって、前記第２のルールセットは前記第１のルールセットにおける変更に関連し、受信された信号を前記ルールの一方または両方と比較し、どのルールセットが前記受信信号によって使用されているかを決定するように構成されているレシーバを備える、モデム。